(57)【特許請求の範囲】
【請求項１】
基準となる第１構造物と前記第１構造物と沿うように移動可能な第２構造物との移動方向に沿った隙間に人体が挟み込まれることを防止する挟み込み防止構造であって、
前記第２構造物の移動に伴って前記隙間の間隔は変化し、
少なくとも前記第２構造物の前記隙間側の手指が触れる面又は手指が挟まれる面に、前記移動方向に触感が繰り返し変化する刺激部が形成されていることを特徴とする挟み込み防止構造。
【請求項２】
前記刺激部として、前記第１構造物の前記隙間側に形成された第１刺激部と、前記第１刺激部と対向して前記第２構造物の前記隙間側に形成された第２刺激部とを備える請求項１記載の挟み込み防止構造。
【請求項３】
前記刺激部は、前記移動方向に凹凸又は硬軟が繰り返して形成されている請求項１又は２に記載の挟み込み防止構造。
【請求項４】
前記刺激部は、可撓性を有する請求項１乃至３のいずれかに記載の挟み込み防止構造。
【請求項５】
前記隙間は前記第１構造物と前記第２構造物とが略平行に対向する部位に形成され、
前記第２構造物が前記第１構造物に対して斜め方向に移動することにより前記隙間の間隔が変化する請求項１乃至４のいずれかに記載の挟み込み防止構造。
【請求項６】
前記第２構造物は、乗り物の座席の側方に備えられ、前後方向の移動に伴って高さが変化するコンソールボックス、及び前記コンソールボックス上に設けられたアームレストであり、
前記第１構造物は、前記座席側の前記コンソールボックス側面を覆うシールドであり、
前記隙間は前記アームレストの下面と前記シールドの上端との間の隙間である請求項１乃至５のいずれかに記載の挟み込み防止構造。
【発明の詳細な説明】
【技術分野】
【０００１】
本発明は、座席脇等に設けられる設備の挟み込み防止構造に関する。詳しくは、一方が移動可能な２つの構造物の隙間への人体の挟み込みを防止するための挟み込み防止構造に関する。
【背景技術】
【０００２】
従来、多くの乗物の座席脇等にコンソールボックス等の内装部材が設けられており、そのコンソールボックス等を座席の前後方向に沿ってスライド移動可能に支持する内装部材の支持構造が知られている（例えば、特許文献１、２参照）。例えば、特許文献１の車両用部品の配設構造においては、スライドレール上を移動することにより伸縮可能な通風ダクト上にコンソールボックスを配設して、コンソールボックスを車両の前後方向に移動可能としている。
また、コンソールボックスを前後移動させると共に高さを変えることができる支持構造も検討されている。例えば、特許文献２に開示されているコンソールの支持構造は、模式的に表すと図７のようになる。図７に示す支持構造１０１は、車両の前後方向Ｐに対して高さ方向に傾斜して延びるレール１１１を備え、コンソールボックス１０３には、レール１１１にスライド移動可能に支持する支持部１１７を設けてなる。これによれば、シートへの着座者の体格等に応じて、コンソールボックス１０３を傾斜方向にスライド移動させて、前後の位置調整に加えて高さの調整を行うことができる。
【先行技術文献】
【特許文献】
【０００３】
【特許文献１】特開２００４−２１０００６号公報
【特許文献２】特開２０１０−０２３６４１号公報
【発明の概要】
【発明が解決しようとする課題】
【０００４】
前記のようにコンソールボックス等を前後方向に移動可能とする場合には、通常、コンソールボックス等が移動してもその周囲を覆うように、コンソールボックス等の側方に壁部（シールド）が設けられる。しかし、コンソールボックス等が移動されることにより、コンソールボックス等とシールドとの位置関係は変化し、両者によって挟まれる隙間の大きさが変化する。このような設備は座席脇等に設けられるため、手指等の人体が近くに位置することが多く、コンソールボックス等の移動時に手指等が上記隙間に挟まれるおそれがある。安全のために挟み込み防止構造を設けるとしても、人に隙間の変化を気付かせることができれば、人に対して自然な注意を与えると共に、挟み込みを予防することが可能になる。
【０００５】
本発明は、上記現状に鑑みてなされたものであり、一方が移動可能な２つの構造物の隙間への人体の挟み込みを防止するために人の注意を喚起する挟み込み防止構造を提供することを目的とする。
【課題を解決するための手段】
【０００６】
上記問題を解決するために、第１発明は、基準となる第１構造物と前記第１構造物と沿うように移動可能な第２構造物との移動方向に沿った隙間に人体が挟み込まれることを防止する挟み込み防止構造であって、前記第２構造物の移動に伴って前記隙間の間隔は変化し、少なくとも前記第２構造物の前記隙間側の手指が触れる面又は手指が挟まれる面に、前記移動方向に触感が繰り返し変化する刺激部が形成されていることを要旨とする。
第２発明は、第１発明において、前記刺激部として、前記第１構造物の前記隙間側に形成された第１刺激部と、前記第１刺激部と対向して前記第２構造物の前記隙間側に形成された第２刺激部とを備えることを要旨とする。
第３発明は、第１発明又は第２発明において、前記刺激部は、前記移動方向に凹凸又は硬軟が繰り返して形成されていることを要旨とする。
第４発明は、第１乃至３のいずれかの発明において、前記刺激部は、可撓性を有することを要旨とする。
第５発明は、第１乃至４のいずれかの発明において、前記隙間は前記第１構造物と前記第２構造物とが略平行に対向する部位に形成され、前記第２構造物が前記第１構造物に対して斜め方向に移動することにより前記隙間の間隔が変化することを要旨とする。
第６発明は、第１乃至５のいずれかの発明において、前記第２構造物は、乗物の座席の側方に備えられ、前後方向の移動に伴って高さが変化するコンソールボックス、及び前記コンソールボックス上に設けられたアームレストであり、前記第１構造物は、前記座席側の前記コンソールボックス側面を覆うシールドであり、前記隙間は前記アームレストの下面と前記シールドの上端との間の隙間であることを要旨とする。
【発明の効果】
【０００７】
本発明の挟み込み防止構造によれば、基準となる第１構造物と前記第１構造物と沿うように移動可能な第２構造物との隙間に人体が挟み込まれることを防止する挟み込み防止構造であって、前記第２構造物の移動に伴って前記隙間の間隔は変化し、少なくとも前記第２構造物の前記隙間側に、前記移動方向に触感が繰り返し変化する刺激部が形成されているため、第１構造物と第２構造物との隙間に手指等が位置していても、隙間の間隔が変化する際に刺激部と人体とが接触して擦れ、人に対して刺激部が与える触感により第２構造物の移動を知覚させることができる。これにより、第１構造物と第２構造物とに手指等が挟み込まれる前に、隙間の狭まりを自然に人に気付かせ、挟み込みを予防することが可能になる。
【０００８】
前記刺激部として、前記第１構造物の前記隙間側に形成された第１刺激部と、前記第１刺激部と対向して前記第２構造物の前記隙間側に形成された第２刺激部とを備える場合は、第１構造物と第２構造物との双方で刺激部を備えることにより、人体がいずれの構造物に触れていても刺激部のより確かな触感を生じさせ、挟み込みを防止することができる。
前記刺激部は、前記移動方向に凹凸又は硬軟が繰り返して形成されている場合、人に与える触感が繰り返し変化する刺激部が形成することができ、効果的に挟み込みを防止することができる。
前記刺激部は、可撓性を有する場合は、人体と接触したときに刺激部が凹む等、人体に対する圧迫を抑制することができる。
前記隙間は前記第１構造物と前記第２構造物とが略平行に対向する部位に形成され、前記第２構造物が前記第１構造物に対して斜め方向に移動することにより前記隙間の間隔が変化する場合は、隙間の距離が変化すると共に刺激部が基準となる第１構造物に対して斜め方向に移動するため、人に対して第２構造物の移動を分かりやすく気付かせることができる。
【０００９】
前記第２構造物は、乗物の座席の側方に備えられ、前後方向の移動に伴って高さが変化するコンソールボックス、及び前記コンソールボックス上に設けられたアームレストであり、前記第１構造物は、前記座席側の前記コンソールボックス側面を覆うシールドであり、前記隙間は前記アームレストの下面と前記シールドの上端との間の隙間である場合は、座席に着座した乗員の体格に応じてコンソールボックスを前後移動させると共にアームレストの高さを変化させることができ、アームレストの側面側に乗員の手指があるような状態であってもコンソールボックスの移動を知覚させることができる。これにより、シールドとアームレストとに手指等が挟み込まれる前に、隙間の狭まりを乗員に気付かせ、挟み込みを予防することが可能になる。
【図面の簡単な説明】
【００１０】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施形態に係る挟み込み防止構造を適用した車両用コンソールボックスを、車両室内の上方からみた斜視図である。
【図２】挟み込み防止構造を適用した車両用コンソールボックスの左右方向断面図である。
【図３】挟み込み防止構造を適用した車両用コンソールボックスにおいて、刺激部の形状を説明するための部分拡大図である。
【図４】挟み込み防止構造を適用した車両用コンソールボックスにおいて、コンソールボックスの前後方向の移動及び高さの変化を説明するための模式図である。
【図５】挟み込み防止構造を適用した車両用コンソールボックスにおいて、刺激部と人体が接触している状態を説明するための部分拡大図である。
【図６】複数の刺激部を備える挟み込み防止構造の部分拡大図である。
【図７】従来のコンソールボックスの支持構造の説明図であって、レールが車両前後方向に床面に対して傾斜して延びる形態を示す。
【発明を実施するための形態】
【００１１】
ここで示される事項は例示的なもの及び本発明の実施形態を例示的に説明するためのものであり、本発明の原理と概念的な特徴とを最も有効に且つ難なく理解できる説明であると思われるものを提供する目的で述べたものである。この点で、本発明の根本的な理解のために必要である程度以上に本発明の構造的な詳細を示すことを意図してはおらず、図面と合わせた説明によって本発明の幾つかの形態が実際にどのように具現化されるかを当業者に明らかにするものである。
【００１２】
本実施形態に係る挟み込み防止構造（１）は、基準となる第１構造物（２）と第１構造物（２）と沿うように移動可能な第２構造物（３）との隙間に人体が挟み込まれることを防止するための挟み込み防止構造である。第２構造物（３）の移動に伴って、第１構造物（２）の所定部位と第２構造物（３）の所定部位との間に形成される隙間の間隔が変化する。そして、少なくとも第２構造物（３）の前記隙間側に、移動方向に触感が繰り返し変化する刺激部が形成されている。
【００１３】
基準となる第１構造物（２）は人体に対して相対的に移動しない構造物であり、例えば床面に設置された構造物が挙げられる。第２構造物（３）は第１構造物（２）に対して（即ち人体に対して）相対的に移動可能とされる構造物である。第２構造物（３）は第１構造物（２）と沿う方向に移動可能であって、第２構造物（３）と第１構造物（２）との距離が変化する方向の移動を意図していない。例えば、第２構造物（３）は、第１構造物（２）の１つの側面に平行に移動する形態を挙げることができる。また、第１構造物（２）は空間を空けて対向する１対の側面を備え、第２構造物（３）は前記１対の側面に挟まれるように設けられ、第２構造物（３）が前記側面に沿って移動する形態が挙げられる。
【００１４】
第１構造物（２）及び第２構造物（３）の用途や構造は特に限定されない。例えば、第１構造物（２）及び第２構造物（３）は、自動車等の乗物の並んだ２つの座席（９）の間又は座席（９）の脇、すなわち座席（９）の側方に設けられるコンソール設備を挙げることができる（図１参照）。その場合、第２構造物（３）としてコンソールボックス（及びその上に設けられたアームレスト）、第１構造物（２）として座席（９）側のコンソールボックス側面を覆うシールドを例示することができる。
その他、第２構造物（３）は、ドリンクホルダ等の上方が開口する容器、各種操作をするためのスイッチが配設されるスイッチボックス、上方に荷物を載置することができるトレイ及びテーブル等とすることができる。それらの上面はそのまま、又は蓋部によって覆うことにより、アームレストとして使用することができる。
【００１５】
以下、分かり易さのため、第２構造物（３）が移動する方向を前後方向（Ｐ）、第１構造物（２）と第２構造物（３）とが対向する方向を左右方向（Ｑ）、基準面（床面）と垂直な方向を上下方向（Ｒ）とする（図１参照）。
尚、実施形態に記載する各符号は、後述する実施例に記載の具体的構成との対応関係を示すものである。
【００１６】
第２構造物（３）の支持構造は、特に限定されない。例えば、第２構造物（３）は、第１構造物（２）とは別途に、基準となる床面等に移動可能に支持される構造とすることができる。また、第１構造物（２）に空間を空けて対向する１対の側面を備え、第２構造物（３）は前記１対の側面によって移動可能に支持されるようにすることもできる（図４参照）。
【００１７】
第２構造物（３）の移動の態様は、第２構造物（３）の移動に伴って第１構造物（２）の所定部位と第２構造物（３）の所定部位との間に形成される隙間の間隔が変化する構造であれば、任意とすることができる。例えば、第２構造物（３）は、前後方向（Ｐ）に移動すると共に上下方向（Ｒ）に変位する形態を挙げることができる。
【００１８】
第２構造物（３）を移動可能にする構造は、特に限定されない。例えば、前記基準面上に、一方向（Ｐ）において上下方向（Ｒ）に傾斜して支持レール（６）が敷設されており、第２構造物（３）はその支持レール（６）に基づいて移動可能とするようにすることができる。また、第１構造物（２）の一対の対向する壁部（２２）すなわち第２構造物（３）と対向する面に支持レール（６）を設け、第２構造物（３）はその支持レール（６）によって支持され、支持レール（６）上を摺動して移動可能とするようにすることができる（図２、４参照）。このような構造とすると、第２構造物（３）は、第１構造物（２）に対して斜め方向｛前後方向（Ｐ）且つ上下方向（Ｒ）｝に移動することとなる。
【００１９】
前記のとおり、第１構造物（２）と第２構造物（３）との間には、第２構造物（３）の斜め方向の移動に伴って、上下方向に間隔が変化する隙間（７）が形成される。例えば、このような隙間（７）は、第１構造物（２）の一部分と第２構造物（３）の一部分とが略平行に対向する部位に形成される。具体的には、第２構造物（３）の上方が側方に突出している場合、その突出部の下面と、第２構造物（３）の側方に設けられた第１構造物（２）の上端部と、の間に隙間（７）が形成される。
【００２０】
より具体的には、前記コンソール設備の例において、第２構造物（コンソールボックス３）は前後方向（Ｐ）に移動するに伴い上下方向（Ｒ）の高さが変化するように構成されている。その場合、第２構造物（コンソールボックス３）の上部を構成するアームレスト（３３）の側方下面と、第１構造物（シールド２）の上端面（２３）との間に形成される上下方向（Ｒ）の隙間（７）は、第２構造物（コンソールボックス３）の前後方向（Ｐ）の移動に伴って変化することとなる（図２、４参照）。
【００２１】
以上のように、第２構造物（３）の移動に伴って、第１構造物（２）の所定部位と第２構造物（３）の所定部位との間に形成される隙間（７）の間隔が変化する。そこで、少なくとも移動側の第２構造物（３）の隙間（７）側に、移動方向に触感が繰り返し変化する刺激部（５）が設けられる。隙間（７）側とは、第１構造物（２）と第２構造物（３）とが対向する側である。刺激部（５）を少なくとも第２構造物（３）の隙間（７）側に設けるのは、第２構造物（３）は人体に対して相対的に移動するからである（図５参照）。
刺激部（５）として、第２構造物（３）の隙間（７）側に第２刺激部（５１）を設け、第１構造物（２）の隙間（７）側に第１刺激部（５２）を設けることもできる（図６参照）。
【００２２】
刺激部（５）の材料は特に限定されない。例えば、刺激部（５）の材料として、樹脂、ゴム、毛、織物等を用いることができる。刺激部（５）は、可撓性を有するようにすることができる。刺激部（５）が可撓性を有すれば、手指と接触したときに変形する等、手指に対する圧迫や過度の刺激を抑制することができる。
また、刺激部（５）の形状や構造は、第２構造物（３）の移動方向に触感が繰り返し変化するようにされる限り、特に限定されない。例えば、刺激部（５）は、隙間（７）側に突出又は延出された壁状、板状、ブラシ状等の形状とすることができる。それらの手指が触れる面又は手指が挟まれる面に、前記移動方向に凹凸形状や硬軟が繰り返して形成されているようにすることができる。
【００２３】
より具体的には、刺激部（５）は、手指が触れる面又は先端部を、波状（図３の符号５１参照）としたり、任意形状の山（凸部）と谷（凹部）が交互に繰り返される形状としたりすることができる。また、移動方向に表面の硬さを交互に変化させることで、硬軟が繰り返される構造とすることができる。また、硬さや感触を変化させるには、表面粗さを変える、連通孔や可塑剤等を変えることにより弾性率を変える、硬さが異なる複数の材質を交互に配設する等を挙げることができる。毛を多数立設したブラシ状の刺激部（５）とすることもできる。
【００２４】
以上のように、第１構造物（２）と第２構造物（３）との隙間（７）に、第２構造物（３）の移動方向に触感が繰り返し変化する刺激部（５）が形成されているため、その隙間に手指等が位置していても、隙間の間隔が変化する際に刺激部（５）と手指等とが接触して擦れ、人に対して与える触感の変化により第２構造物（３）の移動を知覚させることができる。これにより、第１構造物（２）と第２構造物（３）とに手指等が挟み込まれる前に、隙間（７）の狭まりを人に気付かせ、挟み込みを予防することが可能になる。
【００２５】
（実施例）
挟み込み防止構造１の具体例を図１〜５に示す。本例は、乗用車の２つの前部座席９の間に配設され、前後方向Ｐに移動可能なコンソールボックス３を第２構造物として示す。図１に示すように、コンソールボックス３は、車室の床面に立設されている第１構造物であるシールド２によって可動部分が覆われている。通常、乗員はその体格等に合わせるように座席９を移動させ、体格が大きい場合には座席９を後方に移動させる。その場合、コンソールボックス３も後方に移動させることで使い勝手を向上させることができるが、体格が大きいためコンソールボックス３の位置を低くすることが好ましい。このため、本例においては、コンソールボックス３を前方（位置３’）から後方（位置３）に移動させるに伴い、その高さが低くなるようにされている。
【００２６】
図２は、シールド２及びコンソールボックス３を備えた挟み込み防止構造１の左右方向断面を表している。同図に示されるように、コンソールボックス３は蓋付きの容器であり、コンソールボックス３の本体３２の上面に設けられた蓋部３３を閉めた状態にすることで、蓋部３３に腕を乗せるアームレストとして使用することができるようにされている。
【００２７】
本例においては、コンソールボックス３を支持するための支持レール６が、シールド２の左右壁部２２に設けられており、コンソールボックス３の側面に設けられた突部４が溝状の支持レール６に摺動可能に嵌め込まれている。このようにシールド２の左右壁部２２によってコンソールボックス３が挟持される構造にすれば、別途に支持レール６を設けることなく、コンソールボックス３を支持し移動可能とすることができる。これに限らず、支持レール６はコンソールボックス３の下面部等に設けられてもよい。
【００２８】
また、コンソールボックス３の蓋部３３は、各シールド２の上端面２３より上方に位置し、更に左右方向Ｑの端部３４が各シールド２の上端面２３に被さるように配設されている。そして、端部３４と上端面２３との間には隙間７が形成されている。更に、端部３４の隙間７側となる、上端面２３と対向する面側に刺激部５１が設けられている。
【００２９】
図３は、上記刺激部５１を側方からみた図である。刺激部５１は、連通孔を多数備えた樹脂等の可撓性を備えた材質であり、その先端側（上端面２３と対向する側）には、上下方向に規則的に波打つ凹凸形状が形成されている。この凹凸形状の繰り返しの間隔は、０．３〜１．５ｃｍ程度とすることができる。
【００３０】
図４は、支持レール６をシールド２の左右壁部に設ける例を説明するための模式図である。支持レール６は、基準となる床面に対して上下方向Ｒに傾斜するように配設される。同図（ａ）では、コンソールボックス３の前方側面に設けられた１つの突部４が１つの支持レール６に摺動可能に嵌め込まれている。同図（ｂ）では、コンソールボックス３の前方及び後方の側面に設けられた２つの突部４が１つの支持レール６に摺動可能に嵌め込まれている。いずれの形態によっても、支持レール６は床面に対して前方が高く後方が低くなるように傾斜して設けられているため、コンソールボックスを後方の低い位置３と前方の高い位置３’との間で移動させることができる。
【００３１】
図４（ａ）に示すように、コンソールボックス３が移動して後方に位置するときはコンソールボックス３が下降しており、隙間７はコンソールボックス３’が前方に位置して上昇しているときの隙間７’より狭くなっている。このときの隙間７は、刺激部５１の高さと略同じ又はより狭くなっており、隙間７に指先等の人体が位置していた場合、刺激部５１が設けられていなければ指先等が挟み込まれるおそれがある。
【００３２】
しかし、図５に示すように、コンソールボックス３が移動する際に刺激部５１が人体８に接触することになる。刺激部５１は、コンソールボックス３の移動方向に略沿って波打っているため、人体８に対して、コンソールボックス３の移動に伴って強弱又は有無が繰り返される刺激を与える。人は、刺激部５１の触感によりコンソールボックス３の移動を知覚することができる。これにより、シールド２とコンソールボックス３との間に手指等が挟み込まれる前に、隙間７の狭まりを自然に人に気付かせ、挟み込みを予防することが可能になる。
【００３３】
刺激部５１として、図６に示すように、シールド２の隙間７側（上端面２３）に形成された第１刺激部５２と、第１刺激部５２と対向してコンソールボックス３（端部３４）の隙間７側に形成された第２刺激部５１とを備えることもできる。このように、シールド２とコンソールボックス３の双方に刺激部５１、５２を備えることにより、人体がいずれの構造物に触れていても刺激部のより確かな触感を生じさせ、挟み込みを防止することができる。
【００３４】
尚、本発明においては、以上に示した実施形態に限られず、目的、用途に応じて本発明の範囲内で種々変更した態様とすることができる。
【産業上の利用可能性】
【００３５】
本発明は、乗用車、バス、トラック等の他、汽車、電車等の鉄道車両、建設車両、農業車両、産業車両や航空機等において、座席周辺の設備をスライド移動可能に支持する技術として広く利用される。また、乗物に限らず、屋内外で用いられる電動座席等の周辺に備えられる移動可能な構造物による挟み込み防止に適用することができる。
【符号の説明】
【００３６】
１；挟み込み防止構造、２；第１構造物（シールド）、２２；左右壁部、２３；上端面、３、３’；第２構造物（コンソールボックス）、３２；本体、３３；蓋部、３４；端部、４；突部、５１；刺激部（第２刺激部）、５２；第１刺激部、６；支持レール、７、７’；隙間、８；人体、９；座席。
【図１】
0006582890.tif 000002
【図２】
0006582890.tif 000003
【図３】
0006582890.tif 000004
【図４】
0006582890.tif 000005
【図５】
0006582890.tif 000006
【図６】
0006582890.tif 000007
【図７】
0006582890.tif 000008